(57)【要約】【課題】効率良く原稿の読み取り作業を行うことが可能な原稿読み取り装置を提供すること。【解決手段】原稿を載置するために、装置フレーム２に固定された原稿載置ガラス３と、原稿載置ガラス３に原稿を押さえつけるための原稿押さえ部４と、原稿の画像データを読み取るために、原稿載置ガラスを通して原稿に光を照射するためのランプ５と、原稿に対して光を照射しながら、ランプ５の初期位置側に配置される原稿の一端１５ａから、一端に対向する原稿１５ｂの他端に向かって光源を移動させるフルレートキャリッジ６と、原稿押さえ部４によって覆われない位置に設けられた、光源の漏れ光を外部へ露出するための窓２０とを備えた、画像読み取り装置である。【選択図】図３（ａ）
2008278259.tif 000002
【特許請求の範囲】
【請求項１】
原稿を載置するために、枠体に固定された原稿載置ガラスと、
前記原稿載置ガラスに前記原稿を押さえつけるための原稿押さえ部と、
前記原稿の画像データを読み取るために、前記原稿載置ガラスを通して前記原稿に光を照射するための光源と、
前記原稿に対して前記光を照射しながら、前記光源の初期位置側に配置される前記原稿の一端から、前記一端に対向する前記原稿の他端に向かって前記光源を移動させる光源移動ユニットと、
前記枠体の、前記原稿押さえ部によって覆われない位置に設けられた、前記光源の漏れ光を外部へ露出するための開口部とを備えた、画像読み取り装置。
【請求項２】
前面に読み取り指示を入力する操作部を備え、
前記開口部は、
前記光源の移動方向に沿って長く延びるように形成された矩形状の窓であって、
前記操作部と前記原稿載置ガラスの間の、前記初期位置の反対側に設けられている、請求項１記載の画像読み取り装置。
【請求項３】
前記窓の長手方向の幅は、
前記原稿が最小サイズの原稿である場合に前記光源が移動する位置から、前記原稿が最大サイズの原稿である場合に前記光源が移動する位置に対応している、請求項２記載の原稿読み取り装置。
【請求項４】
前記開口部は、
前記光源の移動方向に沿って配置された、前記原稿の複数のサイズに対応する複数の窓を有し、
前記複数の窓の上部を覆うように設けられ、前記窓から漏れ出た前記光の全部又は一部を所定の方向に案内するための導光部材と、
前記導光部材に設けられ、前記漏れ出た光を透過する表示板と、
前記複数の窓から漏れる光を、いずれか１つの前記窓から漏れるように他の前記窓からの漏れ光を制限する制限ユニットとを備え、
前記表示板は、原稿読み取りが終了したことを示す表示を有している、請求項１記載の画像読み取り装置。
【請求項５】
読み取る原稿のサイズに対応した前記窓よりも前記初期位置側に配置されている窓を、少なくとも前記光源が通過する時に塞ぐように前記制限ユニットを制御する制御ユニットを備えた、請求項４記載の原稿読み取り装置。
【請求項６】
前記制限ユニットは、
１つ又は複数の前記窓に対応した形状の貫通部を有し、前記複数の窓の配置方向を長手方向とし、前記複数の窓の下側に設けられている遮蔽部材と、
前記遮蔽部材を前記複数の窓の配置方向に沿って移動させる遮蔽部材移動ユニットとを有し、
前記制御ユニットは、
前記読み取る原稿のサイズに対応した前記窓に前記貫通部が配置され、前記原稿のサイズに対応した窓よりも前記初期位置側に配置されている窓が塞がれる位置に前記遮蔽部材を配置するように前記遮蔽部材移動ユニットを制御する、請求項５記載の原稿読み取り装置。
【請求項７】
前記制限ユニットは、
前記複数の窓のうち、前記初期位置から最も遠い位置にある前記窓を除いた全ての前記窓毎に設けられ、前記光源を保持する移動枠が通過する際に、前記移動枠との接触により前記窓を遮蔽する複数の遮蔽板と、
前記移動枠と接触する接触位置と、前記移動枠との接触を避ける退避位置との間を前記遮蔽板を移動させる遮蔽板移動ユニットとを有し、
前記制御ユニットは、
前記読み取る原稿のサイズに対応した前記窓の前記遮蔽板を、前記退避位置に配置し、前記原稿のサイズに対応した窓よりも前記初期位置側に配置されている窓の前記遮蔽板を、前記接触位置に配置するように前記遮蔽板移動ユニットを制御する、請求項５記載の原稿読み取り装置。
【請求項８】
請求項１〜４の何れかひとつに記載の原稿読み取り装置と、
前記原稿読み取り装置によって読み取った前記原稿の画像データに基づいて像担持体又は中間転写体上にトナー画像を形成する画像形成部と、
前記像担持体又は前記中間転写体上の前記トナー画像を記録媒体に転写する転写部と、
前記転写されたトナー画像を前記記録媒体に定着させるための定着部とを備えた、画像形成装置。
【発明の詳細な説明】
【技術分野】
【０００１】
本発明は、原稿の画像データを読み取るための画像読み取り装置、及びそれを用いた画像形成装置に関する。
【背景技術】
【０００２】
従来、大量のコピーを行う場合、例えば、特許文献１に記載されているような自動原稿送り装置を用いることによって、効率的に複写が行われていた。
【０００３】
一方、大量のコピーを行うにもかかわらず、自動原稿送り装置が設けられていない複写機も珍しくなく、このような複写機の場合、オペレーターはコピーを行う毎に原稿を取り替えて、コピーを行っていた。
【０００４】
又、自動原稿送り装置が設けられている複写機であっても、製本されている原稿等の複写を行う場合には、自動原稿送り装置を利用することが出来ない。そのため、オペレーターは、コピーをする毎に原稿のページをめくり、再びガラス面に載置してコピーを行っていた。
【特許文献１】特開２００６−０２７８０４号公報
【発明の開示】
【発明が解決しようとする課題】
【０００５】
しかしながら、原稿の画像データを読み取った後、次のコピー動作指令が可能となるまでの間には、読み取った画像データを用紙に複写する動作があるため、タイムラグが生じている。
【０００６】
一方、原稿の画像データの読み取りが終了したことは、オペレーターには通知されないので、大量の複写作業を効率よく行おうとすると、オペレーターは、動作音等を頼りにして、原稿の読み取り終了タイミングを図り、次のコピー動作指令が可能となる前に原稿の入れ替え作業を行っている。この場合、タイミングを誤ると、原稿読み込み中に原稿を入れ替えることとなり、コピーを失敗する場合がある。
【０００７】
又、このようなミスコピーを無くそうとすると、次のコピー動作指令が可能であるという旨の表示がされてから、原稿を入れ替えることになるため、効率良く作業をすることが出来なかった。
【０００８】
本発明は、上記従来の原稿読み取り装置の課題を考慮して、効率良く原稿の読み取り作業を行うことが可能な原稿読み取り装置、及びそれを用いた画像形成装置を提供することを目的とする。
【課題を解決するための手段】
【０００９】
上記目的を達成するために、第１の本発明は、
原稿を載置するために、枠体に固定された原稿載置ガラスと、
前記原稿載置ガラスに前記原稿を押さえつけるための原稿押さえ部と、
前記原稿の画像データを読み取るために、前記原稿載置ガラスを通して前記原稿に光を照射するための光源と、
前記原稿に対して前記光を照射しながら、前記光源の初期位置側に配置される前記原稿の一端から、前記一端に対向する前記原稿の他端に向かって前記光源を移動させる光源移動ユニットと、
前記枠体の、前記原稿押さえ部によって覆われない位置に設けられた、前記光源の漏れ光を外部へ露出するための開口部とを備えた、画像読み取り装置である。
【００１０】
又、第２の本発明は、
前面に読み取り指示を入力する操作部を備え、
前記開口部は、前記光源の移動方向に沿って長く延びるように形成された矩形状の窓であって、
前記操作部と前記原稿載置ガラスの間の、前記初期位置の反対側に設けられている、第１の本発明の画像読み取り装置である。
【００１１】
又、第３の本発明は、
前記窓の長手方向の幅は、
前記原稿が最小サイズの原稿である場合に前記光源が移動する位置から、前記原稿が最大サイズの原稿である場合に前記光源が移動する位置に対応している、第２の本発明の原稿読み取り装置である。
【００１２】
又、第４の本発明は、
前記開口部は、
前記光源の移動方向に沿って配置された、前記原稿の複数のサイズに対応する複数の窓を有し、
前記複数の窓の上部を覆うように設けられ、前記窓から漏れ出た前記光の全部又は一部を所定の方向に案内するための導光部材と、
前記導光部材に設けられ、前記漏れ出た光を透過する表示板と、
前記複数の窓から漏れる光を、いずれか１つの前記窓から漏れるように他の前記窓からの漏れ光を制限する制限ユニットとを備え、
前記表示板は、原稿読み取りが終了したことを示す表示を有している、第１の本発明の画像読み取り装置である。
【００１３】
又、第５の本発明は、
読み取る原稿のサイズに対応した前記窓よりも前記初期位置側に配置されている窓を、少なくとも前記光源が通過する時に塞ぐように前記制限ユニットを制御する制御ユニットを備えた、第４の本発明の原稿読み取り装置である。
【００１４】
又、第６の本発明は、
前記制限ユニットは、
１つ又は複数の前記窓に対応した形状の貫通部を有し、前記複数の窓の配置方向を長手方向とし、前記複数の窓の下側に設けられている遮蔽部材と、
前記遮蔽部材を前記複数の窓の配置方向に沿って移動させる遮蔽部材移動ユニットとを有し、
前記制御ユニットは、
前記読み取る原稿のサイズに対応した前記窓に前記貫通部が配置され、前記原稿のサイズに対応した窓よりも前記初期位置側に配置されている窓が塞がれる位置に前記遮蔽部材を配置するように前記遮蔽部材移動ユニットを制御する、第５の本発明の原稿読み取り装置である。
【００１５】
又、第７の本発明は、
前記制限ユニットは、
前記複数の窓のうち、前記初期位置から最も遠い位置にある前記窓を除いた全ての前記窓毎に設けられ、前記光源を保持する移動枠が通過する際に、前記移動枠との接触により前記窓を遮蔽する複数の遮蔽板と、
前記移動枠と接触する接触位置と、前記移動枠との接触を避ける退避位置との間を前記遮蔽板を移動する遮蔽板移動ユニットとを有し、
前記制御ユニットは、
前記読み取る原稿のサイズに対応した前記窓の前記遮蔽板を、前記退避位置に配置し、前記原稿のサイズに対応した窓よりも前記初期位置側に配置されている窓の前記遮蔽板を、前記接触位置に配置するように前記遮蔽板移動ユニットを制御する、第５の本発明の原稿読み取り装置である。
【００１６】
又、第８の本発明は、
第１〜４の本発明のいずれかひとつの原稿読み取り装置と、
前記原稿読み取り装置によって読み取った前記原稿の画像データに基づいて像担持体又は中間転写体上にトナー画像を形成する画像形成部と、
前記像担持体又は前記中間転写体上の前記トナー画像を記録媒体に転写する転写部と、
前記転写されたトナー画像を前記記録媒体に定着させるための定着部とを備えた、画像形成装置である。
【発明の効果】
【００１７】
本発明によれば、効率良く原稿の読み取り作業を行うことが可能な原稿読み取り装置、及びそれを用いた画像形成装置を提供することが出来る。
【発明を実施するための最良の形態】
【００１８】
以下、本発明にかかる実施の形態の画像読み取り装置について図面を参照しながら説明するとともに、本発明の画像形成装置の一例としての複写機についても述べる。
【００１９】
（実施の形態１）
はじめに、本発明にかかる実施の形態１の複写機の構成について説明する。
【００２０】
図１に示すように、本実施の形態の複写機１００は、その上部に、原稿の画像データを読み取る原稿読み取り装置１を備えている。又、複写機１００は、その底部に、読み取った画像データに基づいて画像が形成される用紙を収納するための４つの給紙カセット１１０を備えている。また、給紙カセット１１０の上部には、手差しトレイ１２０が設けられている。
【００２１】
これら給紙カセット１１０又は手差しトレイ１２０から供給された用紙にトナー画像を形成するための、感光体ドラム１３１、帯電器１３２、露光器１３３、現像器１３４及びクリーニングユニット１３５等から構成される画像形成ユニット１３０が設けられている。又、感光体ドラム１３１上のトナー画像を用紙に転写するための転写ユニット１６０を備えている。尚、本実施の形態の画像形成ユニット１３０及び転写ユニット１６０は、モノクロ用であるが、本発明の中間転写体の一例である中間転写ベルトを備えた構成であってもよい。
【００２２】
更に、トナー画像を用紙に定着するための定着ユニット１４０と、トナー画像が定着された用紙を排出するための排出ユニット１５０が設けられている。尚、図１に示されている点線の矢印は光路を示しており、矢印が接している部分で感光体ドラム１３１１３に静電潜像が形成される。又、実線矢印は紙の搬送路を示しており、給紙カセット１１０から画像形成ユニット１３０へと用紙を供給するための、給送ローラ１３が給紙カセット１１０の上部に配置されている。
【００２３】
次に、本実施の形態の原稿読み取り装置１の構成について詳しく説明する。
【００２４】
図２は、原稿読み取り装置１の断面構成図である。図２に示すように、原稿読み取り装置１は、露光ランプ、レンズ、ミラー等を内部に有する装置フレーム２と、装置フレーム２の上面に設けられた原稿載置ガラス３と、この原稿載置ガラス３上に配置された原稿を原稿載置ガラス３に押圧するための原稿押さえ部４とを備えている。この原稿押さえ部４には、原稿を原稿載置ガラス３押圧するための弾性体４ａが設けられている。
【００２５】
又、原稿載置ガラス３が上面に配置されている装置フレーム２の内部には、ランプ５とミラーｍ１を走査方向（図中左右方向）に移動させるフルレートキャリッジ６と、２つのミラーｍ２、ｍ３をフルレートキャリッジ６に追従して移動させるハーフレートキャリッジ７が設けられている。
【００２６】
これら２つのキャリッジ６、７は、１つの軸上に設けられたプーリ８、９に捲き掛けられたワイヤ１０、１１を介して駆動される。プーリ８、９の直径を２：１に形成することにより、フルレートキャリッジ６の速度に対して、ハーフレートキャリッジ７の速度が半分になる。又、原稿を読み取る際には、フルレートキャリッジ６と、その半分の速度で移動されるハーフレートキャリッジ７を連動させて図中右方向へ移動させ、原稿載置ガラス３上に載置された原稿にランプ５を光源として光を照射する。そして、その反射光を２つのキャリッジ６、７の各々に設けられたミラーｍ１、ｍ２、ｍ３を介して反射させ、ミラーｍ３の反射光をレンズ１２でＣＣＤ１３に結像させる。ＣＣＤ１３に入力された光情報は、電気信号に変換され、デジタル信号として図１に示す露光器１３３に出力される。
【００２７】
図２には、フルレートキャリッジ６とハーフレートキャリッジ７の初期位置が二点鎖線で示されている。この初期位置から図中右方向に走査することで、原稿の読み取りが行われる。この初期位置側の原稿載置ガラス３の端が３ａとして示されている。
【００２８】
原稿読み取り時には、原稿載置ガラス３の端３ａに一端を合わせて、原稿載置ガラス３上に原稿が載置される。ここで、原稿のサイズは複数種類あり、原稿の他端までフルレートキャリッジ６を移動させる必要があるため、原稿サイズに応じてキャリッジの移動距離が設定される。
【００２９】
又、２つのキャリッジ６、７を駆動するための駆動装置としては、ステッピングモータが使用されており、ステッピングモータにパルスが入力されることによってプーリ８、９を駆動する。画像読み取り命令が入力されると、ランプ５が点灯されるとともに、原稿の長さに対応する移動距離分の回転数に対応するパルスがモータドライバからモータに印加され、フルレートキャリッジ６が移動する。フルレートキャリッジ６の移動とともに、ハーフレートキャリッジ７が半分の速度で半分の距離だけ移動する。
【００３０】
尚、フルレートキャリッジ６は、端３ａに合わせて一端が載置された原稿の他端の位置よりもＸ軸正方向に若干量行き過ぎて停止する。そして、停止後又は停止とともにランプが消灯され、移動時に印加されたパルス数だけ逆方向にモータを駆動して２つのキャリッジ６、７が初期位置に戻る。
【００３１】
又、図３（ａ）は、本実施の形態の複写機１００の平面図である。尚、図３に示されている座標軸は、原稿を読み取る際のキャリッジ６、７の移動方向をＸ軸プラス方向とし、装置正面から裏面方向をＹ軸プラス方向としている。
【００３２】
図３（ａ）に示すように、原稿読み取り装置１は、その正面側に、複写開始ボタン等が配置されている操作部１４を備えている。又、原稿載置ガラス３と操作部１４の間の装置フレーム２には、ランプ５の漏れ光を外部へと露出するために透明な部材がはめこまれた窓２０が形成されている。
【００３３】
この窓２０は、フルレートキャリッジ６とハーフレートキャリッジ７の走査方向に沿って細長い矩形状であり、原稿載置ガラス３の端３ａとは反対側の端よりに配置されている。尚、原稿押さえ部４は、原稿載置ガラス３の全面を覆っているが、窓２０は覆わないように形成されている。又、窓２０の端３ａ側の端を２０ａとし、反対側の端を２０ｂとする。
【００３４】
端２０ａは、ランプ５が移動する距離が最も短い場合の停止位置よりもＸ軸マイナス方向側に位置し、端２０ｂは、ランプ５が移動する距離が最も長い場合の停止位置よりもＸ軸プラス方向側に位置する。尚、このランプ５が移動する距離が最も短い場合とは、最小サイズの原稿の長辺を端３ａに合わせて原稿を載置した場合であり、ランプ５が移動する距離が最も長い場合とは、最大サイズの原稿の短辺を端３ａに合わせて原稿を載置した場合である。図３（ｂ）は、（ａ）に最小サイズの原稿を載置した状態を示す図であり、図３（ｃ）は、（ａ）に最大サイズの原稿を載置した状態を示す図である。尚、図３（ｂ）（ｃ）では、原稿おさえ部４は図示していない。図３（ｂ）には、最小サイズの原稿１５が、その左側の長辺１５Ｌが端３ａに合わせて原稿載置ガラス３上に配置されている。又、フルレートキャリッジ６が原稿１５を読み取った後、停止した状態が図示されている。図３（ｂ）に示すように、フルレートキャリッジ６は、初期位置から原稿１５の右側の長辺１５ＲからＸ軸プラス方向側に越えた位置で停止する。窓２０の端２０ａは、フルレートキャリッジ６に配置されているランプ５よりもＸ軸マイナス方向側に位置している。このランプ５の位置が、本発明の「前記原稿が最小サイズの原稿である場合に前記光源が移動する位置」の一例に相当する。又、図３（ｃ）には、最大サイズの原稿１６が、その左側の短辺１６Ｌを端３ａに合わせて原稿載置ガラス３上に配置されている。又、フルレートキャリッジ６が原稿を読み取った後、停止した状態が図示されている。この図３（ｃ）に示すように、フルレートキャリッジ６は、初期位置から原稿１６の右側の長辺１６ＲからＸ軸プラス方向側に越えた位置で停止する。窓２０の端２０ｂは、フルレートキャリッジ６に配置されているランプ５よりもＸ軸プラス方向側で停止する。このランプ５の位置が、本発明の「前記原稿が最大サイズの原稿である場合に前記光源が移動する位置」に相当する。
【００３５】
尚、図３に示すように、キャリッジ６、７は、窓２０よりもＹ軸プラス方向側に位置しており、ランプ５が窓２０の直下は通過しない。
【００３６】
このように窓２０を形成することにより、どのような原稿サイズの場合であっても、ランプ５が消灯する瞬間を窓２０からの漏れ光によってオペレーターが認識することが出来る。
【００３７】
尚、本発明の光源の一例は、本実施の形態のランプ５に相当し、本発明の光源移動ユニットの一例は、本実施の形態のフルレートキャリッジ６、プーリ８、及びワイヤ１０に相当する。又、本発明の開口部の一例は、本実施の形態の窓２０に相当する。又、本発明の初期位置側に配置される一端の一例は、本実施の形態では、原稿載置ガラス３の端３ａに合わせた原稿１５、１６の辺１５Ｌ、１６Ｌに相当し、本発明の原稿の他端とは、例えば、本実施の形態では、原稿１５、１６の辺１５Ｒ、１６Ｒに相当する。又、本発明の画像形成部の一例は、本実施の形態の画像形成ユニット１３０に相当し、本発明の転写部の一例は、本実施の形態の転写ユニット１６０に相当する。又、本発明の定着部の一例は、本実施の形態の定着ユニット１４０に相当する。本発明の枠体の一例は、本実施の形態の装置フレーム２に相当する。
【００３８】
次に、コピーする際の手順について説明する。図４は、コピー手順を示すフロー図である。
【００３９】
オペレーターは、原稿押さえ部４を開き、端３ａに一端を合わせて原稿載置ガラス３に原稿を載置する（Ｓ１）。その後、オペレーターが操作部１４のスタートボタンを押すことによって印刷命令が入力される（Ｓ２）。印刷命令が入力されると、上述したように、ランプ５が点灯し、キャリッジ６、７が移動し、原稿の画像データの読み取りが開始される。そして、原稿のサイズに対応した距離をフルレートキャリッジ６が移動した後、ランプ５が消灯し、原稿読み取り動作が終了する（Ｓ３）。
【００４０】
続いて、画像形成動作が行われるが、オペレーターは、ランプ５の消灯を窓２０からの漏れ光が消えることによって視認できるので、原稿読み取り動作の終了を認識できる。そのため、オペレーターは原稿押さえ部４を開き、新たな原稿を設置する（Ｓ１）。
【００４１】
一方、読み取った画像データに基づいて、感光体ドラム１３１の表面に形成されたトナー画像が給紙カセット１１０から搬送されてきた用紙に転写され、定着装置１４０においてトナー画像が用紙に定着され、画像形成動作が終了する（Ｓ４）。そして、トナー画像が定着された用紙が排出され（Ｓ５）、スタートボタンを押すこと（コピー動作指令）が可能となる（Ｓ６）。
【００４２】
以上のように、本実施の形態では、窓２０からの漏れ光によって原稿読み取り動作終了を認識出来るため、原稿読み取り動作が終了した後に確実に原稿の入れ替え作業を行うことが可能となり、ミスコピーの発生を抑制することが出来る。
【００４３】
又、従来では、ミスコピーを無くそうとすると、紙排出動作（Ｓ５）の後、コピー動作指令が可能（Ｓ６）となってから、原稿設置（Ｓ１）の動作をおこなう必要があったが、本実施の形態では、画像形成動作（Ｓ４）中に原稿の入れ替え作業（Ｓ１）を行うことが可能であるため、待ち時間を短縮できる。
【００４４】
このように、本実施の形態の複写機では、窓２０を設けることにより、大量の複写を行う場合に効率的に複写を行うことが可能となる。
【００４５】
尚、本実施の形態では、自動で原稿を読み取るための自動原稿搬送装置が設けられていない場合について説明したが、自動原稿搬送装置が設けられている場合であっても、製本された原稿のページをめくって大量にコピーする場合には、効率よく複写ができるという本発明の効果が発揮される。
【００４６】
又、本実施の形態では、原稿載置ガラス３と窓２０が別々の部材として設けられているが、図５の平面図に示すように、原稿載置ガラス３´と窓２０´が一体して形成されていてもよい。
【００４７】
尚、本実施の形態では、図４に示したように、紙排出（Ｓ５）後にスタートボタンを押すことが可能となるが、定着動作が終了した後（Ｓ４）、紙排出動作Ｓ５が終了する前に、スタートボタンを押すことを可能となるように制御がされてもよい。
【００４８】
（実施の形態２）
以下、本発明にかかる実施の形態２の原稿読み取り装置について説明する。本実施の形態２の原稿読み取り装置は、実施の形態１と基本的な構成は同じであるが、原稿読み取り動作終了を認識出来る部分の構成が異なっている。そのため、本相違点を中心に説明する。尚、実施の形態１と同一の構成については同一の符号を付している。
【００４９】
図６は、本実施の形態２の原稿読み取り装置１の構成図である。図６の平面図に示すように、本実施の形態２の原稿読み取り装置１には、実施の形態１で示した窓２０に代えて、オペレーターが原稿読み取り動作の終了を認識するための表示ユニット３０が設けられている。
【００５０】
図７は、表示ユニット３０の近傍を示す構成斜視図である。図８は、表示ユニット３０の正面図である。又、図９は、表示ユニット３０の近傍を底面側から見た分解図である。図１０は、図７の底面図である。
【００５１】
図７〜図１０に示すように、表示ユニット３０は、キャリッジ６、７の移動方向に沿って、初期位置側から順に３つの窓３２ａ、３２ｂ、３２ｃが形成された板状部材３１を備えている。この板状部材３１の上部には、図７〜図９に示すように正面視台形状の導光部材３３が設けられており、その上辺部分には、表示板３４が設けられている。この表示板３４は、例えば、図７に示すように「原稿読み取り終了しました」という文字が形成されており、主としてこの文字部分をランプ５の漏れ光が透過するように構成されている。
【００５２】
板状部材３１の下側には、窓３２ａ、３２ｂの開閉を行うための、本発明の制限ユニットの一例である開閉機構４０が設けられている。この開閉機構４０は、板状部材３１の下面に窓３２と同じ大きさの貫通部４４が形成された遮蔽板４１を有している。又、板状部材３１の下面の窓３２ａの周囲には、枠体４２が形成されている。この枠体４２は、内側に溝を有しており、その溝に遮蔽板４１の端が嵌合することによって、窓３２ａ、ｂ、ｃの配置方向（Ｘ軸方向）にスライド可能に遮蔽板４１を保持している。
【００５３】
又、遮蔽板４１の下側には、ステッピングモータ４３ａを駆動源とする駆動部４３が設けられており、駆動部４３は、ステッピングモータ４３ａの回転に連動して回転するピニオン４３ｂを有している。このピニオン４３ｂは、遮蔽板４１の下面に設けられたラック４１ａと勘合しており、ステッピングモータ４３ａの回転により、遮蔽板４１がＸ軸方向に移動可能となっている。又、操作部１４による設定、又は載置された原稿のサイズに基づいて、遮蔽板４１をスライドさせる制御部５０が設けられている。
【００５４】
尚、本発明の制限ユニットの一例は、本実施の形態の開閉機構４０に相当し、本発明の遮蔽部材の一例は、本実施の形態の遮蔽板４１に相当する。又、本発明の遮蔽部材移動ユニットの一例は、本実施の形態のステッピングモータ４３ａとピニオン４３ｂを有する駆動部４３、及びラック４１ａに相当する。
【００５５】
次に、窓３２ａ、３２ｂ、３２ｃの配置について説明する。
【００５６】
窓３２ａは、例えば原稿サイズがＡ４、Ｂ５の原稿の短辺の長さに対応した位置に形成されている。この位置のＸ軸方向における位置は、長辺を端３ａに合わせて原稿載置ガラス３に載置されたＡ４又はＢ５サイズの原稿をスキャンしたランプ５の停止位置に相当する。具体的には、Ａ４の短辺の長さ２１０ｍｍであるので、端３ａの位置からＸ軸正方向に２１０ｍｍを少し越えた位置に窓３２ａが形成されている。
【００５７】
又、窓３２ｂは、原稿サイズがＡ４、Ｂ５の原稿の短辺を端３ａに合わせて載置した場合に、原稿の長辺の距離分を移動したランプ５の停止位置に相当する。
【００５８】
又、窓３２ｃは、原稿サイズＡ３、Ｂ４の原稿の短辺を端３ａに合わせて載置した場合に、原稿の長辺の距離分を移動したランプ５の停止位置に相当する。
【００５９】
次に、本実施の形態２の表示ユニット３０の動作について説明する。
【００６０】
はじめに、原稿のサイズがＡ４、Ｂ５であって、長辺を端３ａに合わせて原稿を載置した場合の動作について説明する。
【００６１】
図１１（ａ）は、原稿のサイズがＡ４、Ｂ５であって、長辺を端３ａに合わせて原稿を載置した時の板状部材３１と遮蔽板４１の位置関係を示す図である。原稿サイズの入力若しくは自動認識により原稿サイズがＡ４又はＢ５であることが認識されると、制御部５０は、貫通部４４が窓３２ａと垂直方向の位置が一致するように遮蔽板４１を動作する。この図１１（ａ）に示す状態では、窓３２ａ、３２ｂ、３２ｃのいずれも遮蔽されていない。
【００６２】
このような状態で、実施の形態１で説明したように、原稿読み取り動作が開始すると、初期位置からキャリッジ６、７がＸ軸正方向に、ランプ５が窓３２ａの位置到達するまで移動して停止する。停止した時点では、ランプ５が点灯しているので、窓３２ａから光が漏れる。このキャリッジ６，７が停止した状態が、図６に示されている。尚、図６に示すようにランプ５は原稿載置ガラス３の下方に配置されているため、ランプ５が停止する位置は、窓３２ａの直下とはならず、窓３２ａは、ランプ５よりもＹ軸マイナス方向側に位置することになる。
【００６３】
窓３２ａから光が漏れると、漏れ光は、導光部材３３内を反射し、表示板３４の「原稿読み取り終了しました」という文字部分から主に外部へと透過する。このため、オペレーターは、表示板３４が光ったことによって、画像読み取り動作の終了を認識することが出来る。尚、窓３２ａを利用して画像読み取り動作の終了を表示させる場合には、窓３２ｂ、３２ｃの位置までランプ５が移動しないため、ランプ５の光はほとんど窓３２ｂ、３２ｃから漏れないため、窓３２ｂ、３２ｃを遮蔽する必要はない。
【００６４】
次に、原稿のサイズがＡ４、Ｂ５であって、短辺を端３ａに合わせて原稿を載置した場合の動作について説明する。
【００６５】
図１１（ｂ）は、原稿のサイズがＡ４、Ｂ５であって、短辺を端３ａに合わせて原稿を載置した時の板状部材３１と遮蔽板４１の位置関係を示す図である。原稿サイズがＡ４又はＢ５であること及びその載置方向（短辺を端３ａに合わせる方向に載置されていること）が自動認識されるか、オペレータにより設定されると、制御部５０は、貫通部４４が窓３２ｂと垂直方向の位置が一致するように遮蔽板４１を移動する。この状態では、遮蔽板４１によって窓３２ａのみが遮蔽されていることになる。
【００６６】
このような状態で、Ｘ軸プラス方向に窓３２ｂの位置までランプ５が移動するが、途中窓３２ａの位置を通過しても、遮蔽板４１によって窓３２ａが塞がれているため、ランプ５からの光は窓３２ａから漏れない。そして、ランプ５が原稿のサイズに基づいて移動し、停止すると、窓３２ｂからランプ５の光が漏れ、表示板３４が光り、オペレーターは原稿読み取り動作の終了を認識することが出来る。
【００６７】
次に、原稿のサイズがＡ３、Ｂ４であって、短辺を端３ａに合わせて原稿を載置した場合の動作について説明する。
【００６８】
図１１（ｃ）は、原稿のサイズがＡ３、Ｂ４であって、短辺を端３ａに合わせて原稿を載置した時の板状部材３１と遮蔽板４１の位置関係を示す図である。原稿サイズがＡ３、Ｂ４であること及びその載置方向などが自動認識されるか、オペレーターにより設定されると、制御部５０は貫通部４４が窓３２ａと窓３２ｂの間に配置され、窓３２ａ、３２ｂが遮蔽されるように、遮蔽板４１を移動する。この状態では、窓３２ａ、３２ｂが遮蔽されている。
【００６９】
このような状態において、原稿読み取り動作時には、ランプ５が、初期位置からＸ軸プラス方向に窓３２ｃの位置まで移動することになるが、途中通過する窓３２ａ及び窓３２ｂは遮蔽板４１によって遮蔽されているためランプ５の光が漏れず、原稿読み取り動作終了後に停止する位置である窓３２ｃの位置上で停止し、ランプ５の光が窓３２ｃから漏れる。そして、漏れた光によって表示板３４が光り、オペレーターは、原稿読み取り動作が終了したことを認識することが出来る。
【００７０】
以上のように、本実施の形態２の構成によってもオペレーターは、原稿読み取り動作の終了を認識する事が出来るため、効率よく複写を行うことが可能となる。
【００７１】
尚、本実施の形態２では、遮蔽板４１に貫通部４４が１つしか設けられていないが、窓の数に応じて２つ以上設けられていても良い。
【００７２】
（実施の形態３）
以下に、本発明にかかる実施の形態３の原稿読み取り装置について説明する。本実施の形態３の原稿読み取り装置は、実施の形態２と基本的な構成は同じであるが、窓を遮蔽する遮蔽機構の構成が異なる。そのため実施の形態２との相違点を中心に説明する。又、実施の形態２と同じ構成については同一符号を付している。
【００７３】
図１２は、本実施の形態３の表示ユニット８０の斜視図である。又、図１３は、本実施の形態３の表示ユニット８０の底面側から見た斜視図である。図１２及び図１３に示すように、本実施の形態３の表示ユニット８０は、実施の形態２の開閉機構４０に代えて窓３２ａ、３２ｂの開閉機構６０を備えている。この開閉機構６０は、窓３２ａ、３２ｂの各々のＸ軸マイナス側に設けられた遮蔽板６１、６２を有している。図１４は、遮蔽板６１と窓３２ａ、３２ｂとの位置関係を説明するための示す図であり、後述するソレノイド、支持板等の構成については図示していない。図１４に示すように、遮蔽板６１及び遮蔽板６２は板状部材３１の下側に配置されており、上端部分を支点として回動可能に構成されている。この上端部分６１ａ、６２ａは、軸６３、６４を中心とした筒形状になっている。この軸６３、６４を中心として窓３２ａ、３２ｂ側に回転（矢印Ｂ方向）することで、窓３２ａ、３２ｂを遮蔽することが出来る。尚、実施の形態２においても説明したが、窓３２ｃは、ランプ５が最も移動した場合の位置であり、遮蔽する必要がないため、遮蔽板が取り付けられていない。
【００７４】
又、図１２及び図１３に示すように開閉機構６０は、板状部材３１の下面に対して垂直に固定された設けられた支持板６５と、２つのソレノイド６６とを有している。この支持板６５は、窓３２ａ、３２ｂよりも操作部１４側に配置されており、２つのソレノイド６６は、支持板６５の操作部１４側に配置されている。
【００７５】
図１５（ａ）、（ｂ）は、窓３２ａに設けられているソレノイド６６の側面構成図である。尚、図１５（ａ）はソレノイド６６に通電していない状態を示し、図１５（ｂ）はソレノイド６６に通電している状態を示している。ソレノイド６６の鉄芯６６ａは、Ｙ軸方向に移動し、その先端には、上下方向に配置された連結部材６７の下端６７ａが接続されており、連結部材６７の上端６７ｂには、上述した軸６３が接続されている。又、支持板６５の操作部１４側（Ｙ軸マイナス側）には、支持板６５に対して垂直に支持突起６５ａが設けられており、連結部材６７は、その中央部分６７ｃで支持突起６５ａによって回動可能に支持されている。又、軸６３には、遮蔽板６１が操作部１４側に移動しないように突起６３ａが形成されている。又、連結部材６７の上端６７ｂ近傍と、支持板６５の間には、バネ部材６８が設けられている。尚、窓３２ｂと遮蔽板６２側の構成も、窓３２ａと遮蔽板６１側の構成と同様である。
【００７６】
尚、本発明の移動枠の一例は、本実施の形態のフルレートキャリッジ６に相当し、本発明の制限ユニットの一例は、本実施の形態の開閉機構６０に相当する。又、本発明の遮蔽板移動ユニットの一例は、本実施の形態の支持板６５、ソレノイド６６、連結部材６７、及びバネ部材６８に相当する。
【００７７】
次に、開閉機構６０の動作について説明する。
【００７８】
図１５（ａ）に示す状態では、フルレートキャリッジ６が窓３２ａの位置を通り過ぎるとき、フルレートキャリッジ６の操作部１４側に形成されている当接部６ａに遮蔽板６１が当接し、窓３２ａは遮蔽されることになる。
【００７９】
図１５（ａ）に示す状態から、ソレノイド６６に通電すると、図１５（ｂ）に示すように鉄芯６６ａがＹ軸プラス方向に移動する。すると、連結部材６７が時計回り（矢印Ｃ参照）に回動することにより軸６３、６４が操作部１４側（Ｙ軸マイナス方向）に移動する。この状態では、遮蔽板６１は操作部１４側に移動するため、フルレートキャリッジ６が通過しても、当接部６ａは遮蔽板６１に接触しないので、窓３２ａは遮蔽されない。
【００８０】
一方、通電を停止すると、バネ部材６８の弾性力によって軸６３、６４は、原稿載置ガラス３側（Ｙ軸プラス方向）に移動し、図１５（ａ）に示す状態となる。尚、本発明の接触位置の一例は、本実施の形態では、図１５（ａ）に示す原稿載置ガラス３側よりに遮蔽板６１、６２が配置されている場合の位置に相当する。又、本発明の退避位置の一例は、本実施の形態では、図１５（ｂ）に示す操作部１４よりに遮蔽板６１、６２が配置されている場合の位置に相当する。
【００８１】
以上の構成の本実施の形態３の表示ユニット８０の動作について説明する。
【００８２】
はじめに、原稿のサイズがＡ４、Ｂ５であって、長辺を端３ａに合わせて原稿を載置した時について説明する。
【００８３】
原稿サイズの入力若しくは自動認識により原稿サイズがＡ４又はＢ５であり、その載置方向が認識されると、制御部７０は、窓３２ａを遮蔽するための遮蔽板６１と連結しているソレノイド６６に通電をする。すると、遮蔽板６１が操作部１４側へ移動する。
【００８４】
このような状態で、実施の形態１で説明したように、原稿読み取り動作が開始すると、初期位置からキャリッジ６、７がＸ軸プラス方向に、ランプ５が窓３２ａの位置に到達するまで移動して停止する。停止した時点では、ランプ５が点灯しているので、窓３２ａから光が漏れる。そして、実施の形態２と同様に、オペレーターは、表示板３４が光ることによって、画像読み取り動作の終了を認識することが出来る。
【００８５】
次に、原稿のサイズがＡ４、Ｂ５であって、短辺を端３ａに合わせて原稿を載置した時について説明する。
【００８６】
原稿サイズがＡ４又はＢ５であること及びその載置方向などが自動認識されるか、オペレータにより設定されると、制御部７０は、遮蔽板６２に連結しているソレノイド６６にのみ通電を行い、遮蔽板６１に連結しているソレノイド６６には通電を行わない。
【００８７】
このような状態で、原稿読み取り動作が開始すると、Ｘ軸プラス方向に窓３２ｂの位置までフルレートキャリッジ６が移動するが、途中窓３２ａの位置を通過しても、通過する際には、当接部６ａと遮蔽板６１が接触して矢印Ｂ方向（図１４参照）に回動し、窓３２ａを塞ぐため、ランプ５の光は、ほとんど窓３２ａから漏れない。
【００８８】
そして、窓３２ｂの位置までフルレートキャリッジ６が移動しても、遮蔽板６２は操作部１４側に移動している状態（図１５（ｂ）に示す状態）であるため、当接部６ａは遮蔽板６２には接触せず、窓３２ｂは遮蔽されない。そのため、ランプ５が窓３２ｂの位置まで移動すると、窓３２ｂからランプ５の光が漏れ、表示板３４が光り、オペレーターは原稿読み取り動作の終了を認識することが出来る。
【００８９】
次に、原稿のサイズがＡ３、Ｂ４であって、短辺を端３ａに合わせて原稿を載置した時について説明する。
【００９０】
原稿サイズがＡ３又はＢ４であること及びその載置方向などが自動認識されるか、オペレータにより設定されると、制御部７０は、２つのソレノイド６６に通電を行わない。
【００９１】
このような状態で、原稿読み取り動作が開始すると、Ｘ軸プラス方向に窓３２ｃの位置までランプ５が移動するが、途中で窓３２ａ、３２ｂの位置を通過しても、通過する際には、当接部６ａと接触した遮蔽板６１によって窓３２ａが塞がれ、続いて当接部６ａと接触する遮蔽板６２によって窓３２ｂが塞がれるため、ランプ５の光は窓３２ａ、３２ｂからはほとんど漏れない。そして、ランプ５は、原稿読み取り動作終了後に停止する位置である窓３２ｃの位置上で停止し、ランプ５の光が窓３２ｃから漏れる。そして、漏れた光によって表示部が光り、オペレーターは、原稿読み取り動作が終了したことを認識することが出来る。
【００９２】
以上のように、本実施の形態３の構成によってもオペレーターは、原稿読み取り動作の終了を認識する事が出来るため、効率よく複写を行うことが可能となる。
【００９３】
尚、本実施の形態２及び３の構成に限らず、窓３２ａと窓３２ｂを個別に遮蔽可能な構成であればよく、例えば、図１６の裏面図に示すような構成であってもよい。図１６では、板状部材３１の面と並行に遮蔽板９０が設けられており、支点９０ａを中心に回動可能（矢印Ｄ参照）に構成されている。この遮蔽板９０は、ソレノイド９１に通電されていない状態では、バネ部材９２の弾性力によって時計回りに回動した位置に保持されており、窓は開いた状態となる（窓３２ｂ参照）。そして、ソレノイド９１に通電することにより鉄芯９１ａが押し出され、遮蔽板９１が反時計回り（矢印Ｃ参照）に回動して窓が遮蔽される（窓３２ａ参照）。
【００９４】
尚、本実施の形態２、３では、３カ所に窓を設けた構成について説明したが、３カ所よりも多く窓が設けられていても良い。その場合、フルレートキャリッジ６が停止する位置に対応する窓よりもＸ軸マイナス方向側に配置されている窓を遮蔽するようにすればよい。又、最もＸ軸プラス方向（フルレートキャリッジ６の移動方向側）に配置されている窓については、遮蔽する必要がないため、遮蔽板等を設ける必要はない。
【産業上の利用可能性】
【００９５】
本発明の原稿読み取り装置及び画像形成装置は、効率良く原稿の読み取り作業を行うことを可能とする効果を有し、複写機、ファクシミリ等として有用である。
【図面の簡単な説明】
【００９６】
【図１】本発明にかかる実施の形態１における複写機の正面構成図
【図２】本発明にかかる実施の形態１における原稿読み取り装置の正面構成図
【図３（ａ）】本発明にかかる実施の形態１における複写機の平面図
【図３（ｂ）】本発明にかかる実施の形態１における複写機の平面図
【図３（ｃ）】本発明にかかる実施の形態１における複写機の平面図
【図４】本発明にかかる実施の形態１における複写動作のフロー図
【図５】本発明にかかる実施の形態１における原稿読み取り装置の変形例の平面図
【図６】本発明にかかる実施の形態２における複写機の平面図
【図７】本発明にかかる実施の形態２における読み取り動作終了表示ユニット３０の構成斜視図
【図８】本発明にかかる実施の形態２における読み取り動作終了表示ユニット３０の正面図
【図９】本発明にかかる実施の形態２における読み取り動作終了表示ユニット３０の分解図
【図１０】本発明にかかる実施の形態２における読み取り動作終了表示ユニット３０の裏面図
【図１１】（ａ）〜（ｃ）本発明にかかる実施の形態２における開閉機構４０の動作を説明するための図
【図１２】本発明にかかる実施の形態３における読み取り動作終了表示ユニット８０の構成斜視図
【図１３】本発明にかかる実施の形態３における読み取り動作終了表示ユニット８０を底面側から見た構成斜視図
【図１４】本発明にかかる実施の形態３の読み取り動作終了表示ユニット８０における窓３２ａ、３２ｂと遮蔽板６１、６２の位置関係を説明するための正面図
【図１５】（ａ）（ｂ）本発明にかかる実施の形態３における開閉機構６０の動作を説明するための側面図
【図１６】本発明にかかる実施の形態２、３の変形例における開閉機構の動作説明するための図
【符号の説明】
【００９７】
１  原稿読み取り装置
２  装置フレーム
３  原稿載置ガラス
４  原稿押さえ部
５  ランプ
６  フルレートキャリッジ
７  ハーフレートキャリッジ
８、９  プーリ
１０、１１  ワイヤ
１２  レンズ
１３  ＣＣＤ
１４  操作部
２０  窓
【図１】
2008278259.tif 000003
【図２】
2008278259.tif 000004
【図３（ａ）】
2008278259.tif 000005
【図３（ｂ）】
2008278259.tif 000006
【図３（ｃ）】
2008278259.tif 000007
【図４】
2008278259.tif 000008
【図５】
2008278259.tif 000009
【図６】
2008278259.tif 000010
【図７】
2008278259.tif 000011
【図８】
2008278259.tif 000012
【図９】
2008278259.tif 000013
【図１０】
2008278259.tif 000014
【図１１】
2008278259.tif 000015
【図１２】
2008278259.tif 000016
【図１３】
2008278259.tif 000017
【図１４】
2008278259.tif 000018
【図１５】
2008278259.tif 000019
【図１６】
2008278259.tif 000020